(57)【要約】【課題】製造時の巻取り張力や転写具での走行時の巻戻し張力、保存時の温湿度の影響による内部応力を吸収緩和し、テレスコープや変形がなく、塗膜がパンケーキ端面からはみ出したりしてスムーズな走行に支障をきたすことがない、塗膜転写具用パンケーキを提供することを課題とする。【解決手段】感圧転写テープを巻芯に巻回した塗膜転写具用パンケーキであって、感圧転写テープの一端を巻芯に固定する固定用粘着テープとして、発泡体を基材とした粘着テープを使用した塗膜転写具用パンケーキ、または、感圧転写テープの一端がエンドテープを介して巻芯へ固定されており、エンドテープとして少なくとも発泡体を使用した塗膜転写具用パンケーキ。【選択図】図１
2008156041.tif 000002
【特許請求の範囲】
【請求項１】
感圧転写テープを巻芯に巻回した塗膜転写具用パンケーキであって、
感圧転写テープの一端を巻芯に固定する固定用粘着テープとして、発泡体を基材とした粘着テープを使用したことを特徴とする塗膜転写具用パンケーキ。
【請求項２】
感圧転写テープを巻芯に巻回した塗膜転写具用パンケーキであって、
感圧転写テープの一端がエンドテープを介して巻芯へ固定されており、エンドテープとして発泡体を使用したことを特徴とする塗膜転写具用パンケーキ。
【請求項３】
前記固定用粘着テープ及びエンドテープの長さが、巻芯の外周長さのほぼ整数倍である請求項１または２記載の塗膜転写具用パンケーキ。
【請求項４】
巻芯が、幅１２ｍｍ以下、外径２２ｍｍ以下である請求項１〜３いずれか記載の塗膜転写具用パンケーキ。
【請求項５】
前記固定用粘着テープおよびエンドテープの厚みが０．１〜０．５ｍｍである請求項１〜４いずれか記載の塗膜転写具用パンケーキ。
【発明の詳細な説明】
【技術分野】
【０００１】
本発明は、感圧転写テープを巻芯に巻回した塗膜転写具用パンケーキに関する。
【背景技術】
【０００２】
粘着テープの多くは、紙製の円筒体である紙管を巻芯（以下、「コア」と称することがある）として巻付けたロール状態で販売されている。これらの粘着テープは、その製造の際に一定の引張り状態で巻芯に巻取られるために、巻取られたものには内部応力ひずみが存在し、これが原因となって、いわゆる「テレスコープ」が生じたり、巻芯の一部がつぶれるなどの変形を引き起こすことがある。また、粘着テープの種類によっては、巻回した粘着テープの保管中に、湿度、温度等の影響によって新たな内部応力を発生し、変形を引き起こす場合もある。このような各種の変形を防止するため、巻芯の外周面またはその厚みの中間部分にプラスチック発泡体層を設け、この発泡体層によって内部応力を吸収緩和することが提案されている（特許文献１，２参照）。
【０００３】
一方、感圧転写テープを巻芯に巻回したパンケーキを搭載する塗膜転写具において、パンケーキがテレスコープや変形を生じると、転写具内部の機構に干渉したり、テープの巻き出しが真っ直ぐでなくなったりして、テープのスムーズな走行に不具合を生じる。そのため、従来パンケーキを取り付けるリールにフランジを設けるといった対策がとられており、フランジがパンケーキの巻芯と一体になった構造のものもある。しかしながら、フランジを設ける方法は、転写具の部品形状が複雑になったり部品数が増えたりしてコストアップになる、フランジを設けるスペースが必要なため転写具の小型化に不利である、フランジによってテープの残量が見えづらくなるなどの不都合がある。
【０００４】
上記の特許文献１では、紙管の外周面またはその厚みの中間部分に設けたプラスチック発泡体層を生分解性プラスチックで形成することにより、テレスコープを起こすことがなく、しかも環境にやさしい粘着テープ用巻芯を得ている。
【０００５】
特許文献２では、紙管の外周面またはその厚みの中間部分に設けた発泡体層を、２５％永久圧縮歪みが１０％以下の架橋発泡体で形成することにより、テレスコープを起こすことがなく、かつ発泡体を紙管に巻き付ける際の張力制御の容易な巻芯を得ている。
【０００６】
しかし、小さい成型コアに１個１個発泡体を取り付けるのは手間である。そこで、特許文献３には、小さいサイズでも自動化された施設で製造可能な粘着テープ製品が提案されている。この粘着テープ製品は、特により小さいサイズにおいて、ディスペンサー内でスムーズに動作し、コアに巻かれた粘着テープの次に続く層が軸方向にずれるテレスコープが起きにくいと言うものである。この粘着テープ製品は、図３に示すように、中空の円筒形コア１１と、前記コアの周りに複数回巻かれ、前記コアに固定される案内部・発泡体支持部・使用可能テープ部の３つの部分を有する１本の粘着テープ１２と、前記発泡体支持部に固定される圧縮性の発泡体片１３とを備えている。
【０００７】
しかしながら、この形態は比較的粘着力の高いテープ製品では採りうる形態であるが、テープのり、修正テープ、蛍光テープと言った感圧転写テープの場合、その粘着力はテープを巻芯に固定できるほど高くない。テープのりは粘着力の高いものがあるが、テープのりの粘着層は支持体から剥れるようにできているため、巻芯への固定が甘くなるので、巻芯に固定するには別のテープで貼り合せるのが通常である。また、感圧転写テープの場合、転写具の構造の都合により、塗膜面を巻外側にして巻くことが多いため、テープを巻芯に直接固定することが出来ないという構造上の理由もある。
【特許文献１】特開平８−２１７３３８号公報
【特許文献２】特開２００４−４３０７１号公報
【特許文献３】特許第３６７７４９９号公報
【発明の開示】
【発明が解決しようとする課題】
【０００８】
そこで本発明は、製造時の巻取り張力や転写具での走行時の巻戻し張力、保存時の温湿度の影響による内部応力を吸収緩和し、テレスコープや変形がなく、塗膜がパンケーキ端面からはみ出したりしてスムーズな走行に支障をきたすことがない、塗膜転写具用パンケーキを提供することを課題とする。
【課題を解決するための手段】
【０００９】
本発明者は、感圧転写テープとしての性能を十分に満足させつつ、上記課題を解決すべく鋭意研究を重ねた結果、巻芯への固定用粘着テープまたはエンドテープとして、発泡体を利用することにより、内部応力を吸収緩和でき、かつ製造も容易であることを見出し、本発明に到達した。
【００１０】
すなわち、本発明は、第１に、感圧転写テープを巻芯に巻回した塗膜転写具用パンケーキであって、感圧転写テープの一端を巻芯に固定する固定用粘着テープとして、発泡体を基材とした粘着テープを使用したことを特徴とする塗膜転写具用パンケーキを提供する。
また、本発明は、第２に、感圧転写テープを巻芯に巻回した塗膜転写具用パンケーキであって、感圧転写テープの一端がエンドテープを介して巻芯へ固定されており、エンドテープとして発泡体を使用したことを特徴とする塗膜転写具用パンケーキを提供する。
【発明の効果】
【００１１】
本発明によれば、発泡体が感圧転写テープの内部応力を吸収緩和するので、内部応力ひずみから生じるテレスコープや変形がなく、転写具のスムーズな走行を可能にすることが出来る。また、本発明の塗膜転写具用パンケーキは、固定用粘着テープやエンドテープを、感圧転写テープをスリットする際に同時に付けることができるので、従来と同じ工程で製造できるメリットがある。
【発明を実施するための最良の形態】
【００１２】
以下、本発明について図面を参照して詳細に説明する。
図１は、本発明の第１の塗膜転写具用パンケーキのコア巻付け前の状態を示したものであり、図２は、本発明の第２の塗膜転写具用パンケーキのコア巻付け前の状態を示したものである。図１，２において、１は巻芯（コア）、２，６は感圧転写テープの一端をコアに固定するための固定用粘着テープ、３は感圧転写層を有する感圧転写テープ（支持体＋感圧転写層）、４は感圧転写テープ３の一端とコア１の接合材料であるエンドテープであり、５は感圧転写テープ３とエンドテープ４を接合する接続用粘着テープである。
【００１３】
本発明の第１の塗膜転写具用パンケーキにおいて、感圧転写テープ３は、固定用粘着テープ２を接合材料として用いることによって、コア１に接合される。前記固定用粘着テープ２には、発泡体を基材とした粘着テープが使用される。かかる粘着テープを用いることによって、製造時の巻取り張力や転写具での走行時の巻戻し張力等で発生する内部応力を発泡体が吸収緩和するため、パンケーキのテレスコープや変形等を防止することが出来ると共に、コアに１個１個発泡体を取り付けるのに比べて製造も容易になる。固定用粘着テープ２は、製造工程を考慮すると感圧転写テープと同じ幅であることが好ましい。また、固定用粘着テープを巻芯の外周のほぼ同じ長さ（２周目以上は前周目のテープの外周とほぼ同じ長さ）に設定することにより、固定用粘着テープのエッジ部分による段差を生じることがないため、感圧転写テープを巻巣なくきれいな円形状に巻くことができる。
【００１４】
本発明の第２の塗膜転写具用パンケーキにおいて、感圧転写テープ３は、エンドテープ４を介し、固定用粘着テープ６を接合材料として用いることによって、コア１に接合される。前記エンドテープ４には、発泡体からなるテープ（非粘着）が使用される。かかるテープを用いることによって、製造時の巻取り張力や転写具での走行時の巻戻し張力等で発生する内部応力を発泡体が吸収緩和するため、パンケーキのテレスコープや変形等を防止することが出来ると共に、コアに１個１個発泡体を取り付けるのに比べて製造も容易になる。エンドテープ４及び固定用粘着テープ６は、製造工程を考慮すると感圧転写テープと同じ幅であることが好ましい。また、エンドテープ４を巻芯の外周のほぼ整数倍の長さ（２周目以上は前周目のテープの外周とほぼ同じ長さ）に設定することにより、発泡体による応力緩和効果をコア円周上の全方向において均一に発揮できる。エンドテープの長さは、コア外周の１〜５倍、好ましくは１〜３倍であり、多く巻くとコア外径が大きくなったのと同じでパンケーキサイズが大きくなってしまう。
【００１５】
第２の塗膜転写具用パンケーキの場合、固定用粘着テープ６は、プラスチックフィルムや紙を基材とする粘着テープの中から任意に選択して用いることが出来る。固定用粘着テープは、第１の塗膜転写具用パンケーキの場合と同様、感圧転写テープと同じ幅であることが好ましいが、長さは任意でよい。また、固定用粘着テープの厚みは８０μｍ以下が好ましく、より好ましくは１０〜６０μｍである。
【００１６】
固定用粘着テープ基材およびエンドテープに用いる発泡体としては、ポリエチレン樹脂、ポリプロピレン樹脂、ポリウレタン樹脂、アクリル樹脂、ポリスチレン樹脂、シリコーン樹脂、ポリ塩化ビニル樹脂、各種生分解性樹脂の発泡体または架橋発泡体等を挙げることができる。生分解性樹脂としては、脂肪族ポリエステル、生分解性セルロースエステル、澱粉、セルロース等が挙げられる。
【００１７】
固定用粘着テープ基材およびエンドテープに用いる発泡体の厚みは、０．１〜０．５ｍｍの範囲が好ましく、より好ましくは０．３〜０．５ｍｍである。０．１ｍｍ以上にすれば内部応力を吸収緩和する効果が有り、０．５ｍｍ以下にすればパンケーキの外径を大きくすることなく多量の感圧転写テープを小巻にすることが出来る。
【００１８】
本発明で用いる感圧転写テープとしては、感圧転写修正テープ、感圧転写蛍光テープ、感圧転写粘着テープ（テープのり）等が挙げられる。これらの感圧転写修正・蛍光テープは、支持体に修正被覆層または着色層と粘着層（粘着力小さい）とが順次積層されてなるものであり、また感圧転写粘着テープは、支持体に粘着層（粘着力小さいものから大きいものまで多種多様で、かつ単層ないし複数層）が積層されてなるものであり、いずれも従来のものと異ならない。
【００１９】
感圧転写テープの支持体としては、従来の感圧転写テープの支持体として使用されているものであって、転写塗膜に対して剥離効果を有するものを使用できる。例えば、ポリエチレン（ＰＥ）、ポリエチレンテレフタレート（ＰＥＴ）、ポリプロピレン（ＰＰ）、ポリ塩化ビニル（ＰＶＣ）等のプラスチックフィルム、グラシン紙等の紙、金属箔等の基材に、剥離効果を付与するために、必要に応じて片面もしくは両面に、シリコーン樹脂や無機あるいは有機顔料を分散させたシリコーン樹脂、フッ素樹脂、ワックス等からなる剥離層が設けられている。支持体の厚さとしては、１０〜６０μｍが適当である。
【００２０】
感圧転写修正テープおよび蛍光テープは、修正被膜層および着色層の厚さは、通常５〜３０μｍ、好ましくは１０〜２５μｍのものが用いられる。修正被覆層または着色層の上に形成される粘着層の厚さは、乾燥後において０．３〜５μｍ、好ましくは０．５〜１．５μｍ程度である。一方、感圧転写粘着テープは、粘着層の厚さは、通常５〜２００μｍ、好ましくは１０〜４０μｍのものが用いられる。５μｍ未満であると接着力を十分発揮することができず、また、２００μｍを超えて厚くすることは経済的ではなく、のり切れ性が悪くなる。
【００２１】
粘着剤としては、例えば、アクリル樹脂系、ロジン系、ゴム系、ビニル系、シリコーン系等の粘着剤を使用することが可能であり、これらの粘着剤は溶剤系、水性の何れでも良い。
【００２２】
本発明の塗膜転写具用パンケーキで用いる巻芯（コア）は、公知の紙製およびプラスチック製のものであって良いが、幅が１２ｍｍ以下、好ましくは２〜１２ｍｍで、外径が２２ｍｍ以下、好ましくは５〜２２ｍｍであると、主に事務用途向けとして小巻にして転写装置に装着した転写具とすることが出来るため、好ましい。巻芯（コア）は、紙製、プラスチック製のいずれを用いても良いが、プラスチック製のコアは温湿度の影響を受けにくく、寸法安定性に優れるため、部品の寸法精度を要求される小型転写具の部品として好ましい。
【実施例】
【００２３】
以下、実施例および比較例を用いて本発明を更に具体的に説明するが、本発明は以下の実施例のみに限定されるものではない。
【００２４】
（実施例１〜４）
アクリル系粘着剤（一方社油脂工業(株)製ＡＳ６０６０、固形分４２％）１００重量部に架橋剤（一方社油脂工業(株)製Ｂ−４５）０．６重量部を混合し、コンマコーターを用いて、両面剥離処理したＰＥＴフィルム（厚さ２５μｍ）上に塗工して、乾燥後の厚みが３０μｍの粘着層を形成し、感圧転写粘着テープ原反を得た。
別に、厚さが０．１〜０．５ｍｍのポリウレタン発泡シートを基材とし、その上にアクリル系粘着剤（サイデン化学(株)製、ＡＴ−２７、固形分５４．５％）を、バーコーターを用いて塗工し、乾燥後の厚みが２０μｍの粘着層を形成し、コアへの固定用粘着テープを得た。
次に、上記で得られた感圧転写粘着テープ原反について、パンケーキにしたときにテープの端となる部分にコアへの固定用粘着テープを貼り合せた後、固定用粘着テープごと幅６ｍｍにスリットしてテープ端（固定用粘着テープ部分）を外径１５．５ｍｍのプラスチック製コア（フランジなし）に貼りつけ、１０ｍの長さを巻取ってパンケーキとした。
【００２５】
（実施例５）
固定用粘着テープの基材として、厚さ０．３ｍｍのアクリル発泡シートを用いた以外は、実施例１〜４と同様の方法でパンケーキを得た。
【００２６】
（実施例６〜９）
固定用粘着テープの基材として、厚さ０．３ｍｍのポリエチレン発泡シートを用い、外径の異なるコアを用いた以外は、実施例１〜４と同様の方法でパンケーキを得た。
【００２７】
（比較例１）
固定用粘着テープの基材として、コロナ処理した厚さ２５μｍのＰＥＴフィルムを用いた以外は、実施例１〜４と同様の方法でパンケーキを得た。
【００２８】
実施例および比較例で得られたパンケーキの良否を下記基準で評価した。評価結果を表１にまとめて示す。
【００２９】
（評価１）
得られたパンケーキを宙吊り状態にして、６０℃８０％ＲＨに調整した恒温恒湿槽内に１週間静置後、パンケーキを取り出して目視にてテレスコープの発生状況を確認し、下記の３段階で評価した。
○：テレスコープの発生なし。
△：テレスコープがわずかに発生するも、転写具での走行には支障なし。
×：テレスコープが発生。転写具での走行に支障あり。
【００３０】
（評価２）
得られたパンケーキの外観および巻巣の有無を目視により確認し、下記の３段階で評価した。
○：巻巣の発生はなく、キレイな円形に巻かれている。
△：若干の巻巣は見られるが、パンケーキの形状は円形である。
×：巻巣があり、やや歪んだ形に巻かれている。
【００３１】
【表１】
2008156041.tif 000003
【００３２】
（実施例１０〜１４）
実施例１〜４と同様の方法で感圧転写粘着テープ原反を得た。
別に、エンドテープとして厚さが０．１〜０．５ｍｍで、長さが４９〜２４５ｍｍのポリウレタン発泡シートを用意した。
次に、上記で得られた感圧転写粘着テープ原反について、パンケーキにしたときにテープの端となる部分に接続用粘着テープ（（株）寺岡製作所製ＳＰＴ６４２）を用いてエンドテープを繋ぎ合わせ、そこへコアへの固定用粘着テープ（日東電工（株）製３１Ｂ）を貼り合わせた。その後、感圧転写粘着テープ原反を、繋ぎ合わせたエンドテープ等と共に幅６ｍｍにスリットしてテープ端（コアへの固定用粘着テープ部分）を外径１５．５ｍｍのプラスチック製コア（フランジなし）に貼りつけ、１０ｍの長さを巻き取ってパンケーキとした。
【００３３】
（実施例１５〜１６）
エンドテープとして、厚さ０．３ｍｍのアクリル発泡シートを用い、外径の異なるコアを用いた以外は、実施例１０〜１４と同様の方法でパンケーキを得た。
【００３４】
（比較例２）
エンドテープとして、厚さ２５μｍのＰＥＴフィルムを用いた以外は、実施例１０〜１４と同様の方法でパンケーキを得た。
【００３５】
実施例および比較例で得られたパンケーキの良否を上記基準で評価した。評価結果を表２にまとめて示す。
【００３６】
【表２】
2008156041.tif 000004
【００３７】
以上の結果から、本発明に係る固定用粘着テープ基材およびエンドテープに発泡体を使用した塗膜転写具用パンケーキは、従来と同じ工程で製造することができ、製造されたパンケーキはテレスコープの発生がなく、キレイな円形に巻かれていたことがわかった。
【図面の簡単な説明】
【００３８】
【図１】本発明に係る塗膜転写具用パンケーキを説明する説明図である。
【図２】本発明に係る別の塗膜転写具用パンケーキを説明する説明図である。
【図３】従来の粘着テープ製品を説明する説明図である。
【符号の説明】
【００３９】
１  巻芯（コア）
２，６  固定用粘着テープ
３  感圧転写テープ
４  エンドテープ
５  接続用粘着テープ
【図１】
2008156041.tif 000005
【図２】
2008156041.tif 000006
【図３】
2008156041.tif 000007